(57)【特許請求の範囲】
【請求項１】
両端を開口させた筒部の中程にストッパ操作用の操作孔（２２）を形成したケース（２）と、該ケース（２）の開口からスライド可能に挿入されスライド方向にラック歯（３５）を形成した本体部（３０）の外側端に帯紐等の取付部（３１）を形成した連結体（３），（３ａ）と、ケース（２）内に回転可能に支持されて上記連結体（３），（３ａ）のラック歯（３５）に噛合するピニオン歯（７０）を有する回転体（７）と、前記ケース（２）内に操作孔（２２）から作動操作可能に内装されて、回転体（７）を回転可能状態と回転不能状態とに切換可能なストッパ（６）とからなり、回転体（７）に係合するストッパ（６）を、ケース（２）の側辺両側から相対向させて押動操作可能に設け、両ストッパ（６）の押動及び押動解除操作により、回転体（７）を回転可能状態と回転不能状態とに切換可能にする連結具。
【請求項２】
回転体（７）の上下両側に左右の連結体（３），（３ａ）に噛合するピニオン歯（７０）を形成すると共に、両側のピニオン歯（７０）の間の回転体（７）の外周にストッパ（６）に形成した係止爪（６０）とラチェット構造を以て噛合する噛合溝（７１）を形成してなる請求項１の連結具。
【請求項３】
ストッパ（６）に形成した係止爪（６０）を、押動時に相対向するストッパ（６）でストッパ解除姿勢に作動案内させる請求項２の連結具。
【請求項４】
相対向する各ストッパ（６）に、係止爪（６０）と、押動時に他方のストッパ（６）の係止爪（６０）をストッパ解除姿勢に作動案内するガイド溝（６３）と、ストッパ（６）をストッパ姿勢に付勢する弾性支持部（６５）を一体的に形成してなる請求項１又は２又は３の連結具。
【請求項５】
左右の連結体（３），（３ａ）の一方をスライド端で抜き出し不能にすると共に、他方を抜き出し可能に形成してなる請求項１又は２又は３又は４の連結具。
【発明の詳細な説明】
【０００１】
【発明の属する技術分野】
本発明は、人体に装着するネクタイ，衣服，帽子，包帯，ブラジャー，ベルト等並びに包装用の帯体や容器の開閉蓋等の連結部を、係脱及び長さ調節可能に連結することができる連結具に関する。
【０００２】
【従来の技術】
従来、上記のような人体の装着物に用いられる連結具は、左右の帯紐等の連結部を連結状態と非連結状態にすると共に、連結状態において連結長さを調節することができるものが知られており、このような連結具は一方の連結部に切換調節機構を備えたケース部を取付固定していると共に、他方の連結部に設けた連結体を該ケース部内に差し込んだ状態で、切換調節機構を介して連結位置の長さ調節を行うことができるように構成され、上記連結位置の調節並びにケース部と連結体の連結解除を、ケース部の一側にバネ機構で設けた操作片を押動操作することによって行うことができるようにしている。
【０００３】
【発明が解決しようとする課題】
然し、上記従来のような構成の連結具は、一方の連結部にケース部を取付固定しているので、他方の連結部に設けた連結体をケース部内に差し込んで連結位置の長さ調節をした場合に、ケース部が人体の中心部から一側に偏寄した位置に固定されることになると共に、連結体の長さを長く形成して調節代を大きくしたい場合に、ケース部外に露出する連結体部分が大きくなったり、一方の連結体の移動操作量が多くなり迅速な調節操作を行い難い等、連結具の見栄え及び使用感を損なう等の問題がある。
【０００４】
また一般的に上記のような切換調節機構は、ケース部の上部に設けた一つの操作片のみの操作で、連結体をストッパ姿勢とストッパ解除姿勢とに切換えるようにしているので、上記操作片が衣服等に接当して不慮に押動され、連結体を不用意に離脱させる等の誤動作を伴い易い等の欠点がある。
【０００５】
【課題を解決するための手段】
上記従来の問題点を解消するために本発明による連結具は、第１に、両端を開口させた筒部の中程にストッパ操作用の操作孔２２を形成したケース２と、該ケース２の開口からスライド可能に挿入されスライド方向にラック歯３５を形成した本体部３０の他側に帯紐等の取付部３１を形成した連結体３，３ａと、ケース２内に回転可能に支持されて上記連結体３，３ａのラック歯３５に噛合するピニオン歯７０を有する回転体７と、前記ケース２内に操作孔２２から作動操作可能に内装されて、回転体７を回転可能状態と回転不能状態とに切換可能なストッパ６とからなり、回転体７に係合するストッパ６を、ケース２の側辺両側から相対向させて押動操作可能に設け、両ストッパ６の押動及び押動解除操作により、回転体７を回転可能状態と回転不能状態とに切換可能にすることを特徴としている。
【０００６】
第２に、回転体７の上下両側に左右の連結体３，３ａに噛合するピニオン歯７０を形成すると共に、両側のピニオン歯７０の間の回転体７の外周にストッパ６の係止爪６０に形成したラチェット構造を以て噛合する噛合溝７１を形成してなることを特徴としている。
【０００７】
第３に、ストッパ６に形成した係止爪６０を、押動時に相対向するストッパ６でストッパ解除姿勢に作動案内させることを特徴としている。
【０００８】
第４に、相対向する各ストッパ６に、係止爪６０と、押動時に他方のストッパ６の係止爪６０をストッパ解除姿勢に作動案内するガイド溝６３と、ストッパ６をストッパ姿勢に付勢する弾性支持部６５を一体的に形成してなることを特徴としている。
【０００９】
第５に、左右の連結体３，３ａの一方をスライド端で抜き出し不能にすると共に、他方を抜き出し可能に形成してなることを特徴としている。
【００１０】
【発明の実施の形態】
本発明の一実施形態を図面に基づいて説明する。この図に示す連結具１は、例えば人体の首部に掛け止めする簡易装着型のネクタイ、又は帽子後部の止め紐やヘルメットのあご紐、或いは胸前中央で係脱可能に掛け止めするブラジャー、また装飾用のベルト等の止め具として、好適で便利に使用することができるように小型タイプに構成したものを示しており、この連結具１は両端を開口した角筒状のケース２と、該ケース２内の両側から各スライド操作可能な左右の連結体３，３ａと、該左右の連結体３，３ａをケース２内で位置決め調節及び係脱可能に固定する切換調節機構５等からなり、全構成部品を軽量化と製作の容易化を図る上でプラスチック材によって製作している。
【００１１】
そしてこの連結具１は、後述する切換調節機構５のストッパ６を押し操作することにより、図１図２に示す使用状態（連結状態）から図５に示す非使用状態（連結解除状態）に簡単に切換ることができるものであり、左右の連結体３，３ａのうち例えば左方の連結体３をケース２に内装支持させた状態で、他方の連結体３ａをケース２内に簡単な差し込み操作を以て挿入するだけで、両連結体３，３ａを切換調節機構５を介して何れも等量だけ内向きにスライド移動させ、ケース２部分を所定の位置に簡単に位置決め固定することができるものである。
従って、連結具１は上記のように人体の装着物に用いたとき、ケース２部分を例えば人体の中心部に的確に位置決め装着することができ、見栄え及び使用感を損なうことのない良好な装着使用状態にすることができるものである。
【００１２】
以下各部の詳細な構成について説明する。先ず図示例のケース２は図６，図７に示すように、組立て及びその成形加工を容易にするうえで、上側ケース２ａと下側ケース２ｂとの割り型ケースとし、両者の接合面側を互いに接合固定することにより角型の筒状ケースを簡単に製作することができるようにしていると共に、側面視でケース中央に切換調節機構５を介装させる設置代（巾）を形成するガイド片２０ａを設け、その両側に左右の連結体３，３ａをガタツキなく挿入しスライドさせる差込孔２０を形成することができるようにしている。
【００１３】
また上側ケース２ａと下側ケース２ｂの内側の中央部には支軸２１を前記設置代までの長さになるように一体的に突設し、該両支軸２１に切換調節機構５用の回転体７の回転中心を回転自由に軸支するようにしている。
そして、上側ケース２ａと下側ケース２ｂの側辺両側の中央部には、両者の接合時に操作孔２２を形成することができるように切欠しており、この操作孔２２から切換調節機構５のストッパ６の操作片６１をケース外に突出させて、ストッパ６を介して切換調節機構５を作動操作可能にしている。
【００１４】
尚、上側ケース２ａ及び下側ケース２ｂを接合させる側壁には、図示例では互いに凹凸係合する係止部２３と係合部２５とを形成することにより、上側ケース２ａと下側ケース２ｂの組付けを簡単且つ確実に行うことができようにしているが、この方式に限ることなく、両者は上下対称形状にすると共に接合を接着剤等によって適宜行うようにしてもよい。
【００１５】
次に、図８，図９を参照し左右の連結体３，３ａについて説明する。この左右の連結体３，３ａは何れも、ケース２内に挿入される側を前記差込孔２０に差し込み可能な断面で平坦な板状体の本体部３０に形成し、該本体部３０の外側端には前記装着物の帯紐等の連結部９，９ａ取付け用の取付部３１を一体的に形成していると共に、該取付部３１は差し込み姿勢において前記ガイド片２０ａ（設置代）側に向けて屈曲形成させることにより、左右の連結体３，３ａの取付部３１，３１をケース２の中心側において近接一致させるようにし、これにより、使用状態時における連結具１の傾き等を防止することができるようにしている。
【００１６】
尚、図示例で上記取付部３１は帯紐状の連結部９，９ａの取付けを容易に行ううえで縦長の取付穴３１ａを穿設しているが、例えば、この連結具１を包装箱等の両開き用の蓋に用いる場合には、取付部３１は該蓋と一体的に形成してもよいものである。
また連結具１をベルトのバックル用にするような場合には、ベルトの両端に左右の連結体３，３ａを一体的に形成してもよいものである。
【００１７】
そして、左右の連結体３，３ａの各本体部３０には、その巾の中心部でスライド方向に沿って、前記支軸２１に嵌挿してスライド案内可能なガイド溝３２を穿設していると共に、上記支軸２１に支持された状態の回転体７の両端に嵌合する凹溝状の噛合溝３３をプラスチック成形型によって一体的に形成することにより、連結具１の厚さの拡大を抑制し可及的に薄くすることができるように構成している。
【００１８】
また左右の連結体３，３ａに形成する噛合溝３３には、回転体７のピニオン歯７０に両側から各噛合させるラック歯３５を相対向する側辺に形成し、両ラック歯３５がピニオン歯７０の上下両側において的確に噛合させることで、左右の連結体３，３ａの抜き差し動作によって、回転体７の回転を円滑に行わせることができるようにしている。
【００１９】
また左方の連結体３の本体部３０は、ガイド溝３２の内側端を閉鎖又は狭窄状にする係止部３６を設け、該係止部３６を支軸２１に接当させることにより、連結体３を引き出したスライドストローク上限（スライド端）において、その抜け止めを行うことができるようにしている。
尚、連結体３は上記スライドストローク上限において、ピニオン歯７０に対するラック歯３５の初期噛合位置を設定している。
【００２０】
これにより、左右の連結体３，３ａのうち一方のものをケース２と分離させることなく、他方の連結体３ａの連結を簡単に行うことができ連結具１の使用を便利に行うことができるようにしている。
また右方の連結体３ａの本体部３０は、ガイド溝３２の内側端を二股状に開放させると共に、そのコーナ部に面取りを施し収束させることにより、差込孔２０と支軸２１に対しての差し込み動作を、簡単且つ迅速に行うことができるようにしている。そしてこの場合もラック歯３５又は他方の噛合溝３３の内側部の開放端側には、後述するピニオン歯７０に係合し、一定以上の力を加えた時に外れる突起部その他のストッパー部（図示しない）を設けることができる。
【００２１】
次に、前出の切換調節機構５について図５，図１０等を参照し説明する。この切換調節機構５は、ケース２の支軸２１に枢止される回転体７と、該回転体７に係合するストッパ本体部をケース２の側辺両側に形成した操作孔２２を介して外部操作可能なストッパ６とから構成している。
図１０に示すように上記回転体７は、その上下両側で左右の連結体３，３ａのラック歯３５に各噛合する径小のピニオン歯７０と、ストッパ６の係止爪（係止部）６０に係脱可能に噛合させる径大な噛合溝（ラチェット歯）７１を形成していると共に、両端の中心部にケース２の支軸２１を嵌挿させる支軸孔７２を凹入形成している。
【００２２】
また上記係止爪６０と噛合溝７１は、係止爪６０がストッパ本体部に弾性を有して立設されている支柱に一体的に形成していること、及び噛合溝７１が一側に偏寄した鋭角状の凹溝に形成されていることにより、逆転方向への回動を不能にするラチェット構造になるように構成している。
【００２３】
一方、図５に示すようにストッパ６は、ストッパ本体部の側辺に操作孔２２から突出させる操作片６１と、ストッパ本体部の中央部に凹入形成した回転体７介装用の凹部の一側に立設した、支柱に前記係止爪６０と後述するガイド片６２を形成していると共に、凹部の他側に上記ガイド片６２を嵌挿して誘導するガイド溝６３と、ストッパ本体部の操作片６１を外部に突出方向に付勢させる弾力を有する弾性支持部６５と、該弾性支持部６５の付勢力に抗してケース２の内壁に接当し回転体７を逆転不能状態に位置決めする位置決め部６６を一体的に形成している。
尚、図示例のストッパ６の弾性支持部６５は、ストッパ本体部の一部を切欠することによって足状に形成することにより、材料自身のバネ力を利用した簡単で廉価型なものにしているが、これに限ることなく別途形成されたバネ部材を用いてもよいものである。
【００２４】
上記のように形成したストッパ６は、同一のものを相反転対向させた状態でケース２の操作孔２２に操作片６１部分を嵌挿させながら、係止爪６０を回転体７の噛合溝７１に噛合させると、切換調節機構５をケース２内に簡単な構成を以てコンパクトに纏めて設置することができる利点がある。
またこの状態で相対向するストッパ６は、弾性支持部６５の付勢力で離間されて、係止爪６０を自由状態で回転体７に噛合させた逆転不能状態にし、回転体７に噛合している連結体３，３ａの抜き方向への移動を不能にしていると共に、差し込み方向への移動及び固定を自由に行うことができるようにしている。
【００２５】
またストッパ６は、上下のストッパ本体部が操作片６１を介して互いにつまみ押動されるとき、係止爪６０とガイド溝６３との両者間には、係止爪６０を逆転不能状態から拡開方向に移動させて、回転体７との係合を解除したストッパ解除姿勢に確実に切換作動させることができる、拡開状の斜面を有するガイド片６２を形成している。
また上記ガイド溝６３は、ストッパ６が押動を解除され弾性支持部６５によって逆転不能状態（ストッパ姿勢）に復帰動するとき、係止爪６０の復帰動作を助成するように形成していると共に、回転体７の正転方向の回動を妨げない係止爪６０の作動代分の余裕を有した形状にしている。
【００２６】
本発明の連結具１は以上のように構成したことにより、図５に示すように、右方の連結体３ａがケース２外に引き出された連結解除状態では、左方の連結体３はガイド溝６３のストローク端に引き出されたケース２内支持状態にあると共に、切換調節機構５は上下のストッパ６が自由状態にあって、回転体７をストッパ姿勢で固定支持している。
そして、連結体３ａを開口している一方の差込孔２０から差し込みケース２内に押し込むと、連結体３ａはそのラック歯３５が回転体７に噛合した状態で、ケース２内壁とガイド溝６３と支軸２１で案内され安定よくスライド移動すると同時に、回転体７の回転によってピニオン歯７０とラック歯３５との噛合状態にある連結体３も内側に自動的に駆動移動することができる。
【００２７】
従って、右方の連結体３ａをケース２内に簡単な差し込み操作を以て挿入するだけで、両連結体３，３ａは切換調節機構５の回転体７を介して何れも等量だけ内向きにスライド移動させることができるので、連結動作を簡単且つ迅速に行うことができると共に、この差し込み動作を止めた時点で、係止爪６０がピニオン歯７０と一体的に複数形成した所定の噛合溝７１と係合して、回転体７の逆転を防止し左右の連結体３，３ａを所定位置に位置決め固定することができて、連結部９，９ａを的確に連結状態にすることができるものである。
【００２８】
またこのとき、連結具１はケース２の外側に突出する左右の連結体３，３ａの突出量を、図２の点線で示すように常に等量にすることができるから、連結具１を人体の装着物として例えば前述した形態のネクタイ或いはブラジャーの止め具として用いた場合に、ケース２部分を人体の中心部に的確且つ簡単に位置決めしながら装着することができるので、見栄え及び使用感を損なうことのない良好な装着使用状態にすることができる等の利点がある。
【００２９】
そして上記のように構成した連結具１は、ケース２の側辺両側に切換調節機構５の切換操作用の操作片６１を設置し、両操作片６１を側辺両側から同時につまみ操作することにより、ケース２の固定支持を安定よく行いながら両操作片６１の押動操作を容易に行うことができるので、図１，図２に示す使用状態（連結状態）での連結具１の長さ調節を自由に行うことができると共に、図５に示す非使用状態（連結解除状態）に簡単に切換ることができ、また従来のもののように一つの操作片６１が不慮に押動されることによる連結体の離脱等の誤動作を防止することができるものである。
【００３０】
また左右の連結体３，３ａの一方をスライド端で抜き出し不能にして、他方を抜き出し可能に構成した連結具１は、連結体３ａ側を離脱させた非使用状態において、ケース２部分が常に一方の連結体３にそのストローク端で接続しているので、再使用を速やかに行うことができる等の利点がある。
【００３１】
また上記切換調節機構５は、回転体７の上下両側に左右の連結体３，３ａに噛合するピニオン歯７０を形成すると共に、両側のピニオン歯７０の間の回転体７の外周にストッパ６の係止爪６０とラチェット構造を以て噛合するラック歯３５を形成し、ストッパ６に係止爪６０と押動時に相対向するストッパ６でストッパ解除姿勢に作動案内させるガイド溝６３と、ストッパ６をストッパ姿勢に付勢する弾性支持部６５を一体的に形成しているので、ストッパ６のストッパ姿勢とストッパ解除姿勢の切換を円滑に行うことができると共に、連結具１の小型化並びに軽量化等を図ることができるものである。
【００３２】
尚、図示例の切換調節機構５は、両側のピニオン歯７０の間に形成した噛合溝７１にストッパ６の係止爪６０を噛合させるラチェット構造にしたが、噛合溝７１を上記ピニオン歯７０が兼ねる構成にしてもよいものである。
また上記のように構成する連結具１は、ケース２の表面に適宜な象形を施したり装飾を施すことにより装飾用品に兼ねることができると共に、連結体３のガイド溝３２の係止部３６を除去して連結体３ａと同様な形状にした場合には、ケース２を装着物に固定支持した状態で、該ケース２の両側から左右の連結体３，３ａを同時に差し込むことにより、左右の連結部９，９ａをケース２部分で連結するように使用してもよいものである。
【００３３】
【発明の効果】
本発明は以上のように構成したことにより、次のような効果を奏する。
連結体を開口からケース内に差し込むと、左右の連結体はそのラック歯が回転体に噛合した状態で安定よく同時にスライド移動するので、簡単な差し込み操作を以て両連結体は、切換調節機構を介して何れも同時に等量だけスライド移動させることができ、連結動作を簡単且つ迅速に行うことができると共に、ストッパの操作解除で回転体の逆転を防止して左右の連結体の位置決め固定を的確に行うことができる。
【００３４】
また連結具は、ケースの外側に突出する左右の連結体の突出量を等量にすることができるから、連結具を人体の装着物に用いた場合等に、ケース部分を人体の中心部に的確且つ簡単に位置決めしがら装着することができて、見栄え及び使用感を損なうことのない良好な装着使用状態にすることができる。
また連結体の一方をスライド端で抜き出し不能にすると共に、他方を抜き出し可能にしているので、連結具の再使用を簡単にすることができる。
【００３５】
また回転体に係合するストッパは、相対向させて押動操作可能に設けて、両ストッパの押動及び押動解除操作で回転体を回転可能状態と回転不能状態とに切換可能にしたことにより、従来の連結具のような誤動作を的確に防止することができる。
【００３６】
また連結具は、回転体の上下両側に左右の連結体に噛合するピニオン歯を形成すると共に、両側のピニオン歯の間の回転体の外周にストッパの係止爪とラチェット構造を以て噛合するラック歯を形成していることにより、両連結体の連結と連結解除を的確に行うことができると共に、ストッパに形成した係止爪を、押動時に相対向するストッパでストッパ解除姿勢に作動案内させるので、簡単な構成を以て連結体の離脱を容易に行うことができる。
【００３７】
またストッパに、係止爪と相対向する係止爪をストッパ解除姿勢に作動案内するガイド溝と、ストッパをストッパ姿勢に付勢する弾性支持部を一体的に形成すると、切換調節機構の構成を簡潔にして連結具の小型化及び軽量化を図ることができると共に、廉価に製造することができる等の利点がある。
【図面の簡単な説明】
【図１】  本発明の連結具の使用状態を示す正面図。
【図２】  図１の平断面図。
【図３】  図１の縦断面図。
【図４】  図１の側面図。
【図５】  図１の非使用状態を一部断面して示す正面図。
【図６】  上側ケースの構成を示し、（Ａ）は背面図。（Ｂ）は側断面図。（Ｃ）は縦断面図。
【図７】  下側ケースの構成を示し、（Ａ）は背面図。（Ｂ）は側断面図。（Ｃ）は縦断面図。
【図８】  左方の連結体の構成を示し、（Ａ）は正面図。（Ｂ）は縦断面図。
【図９】  右方の連結体の構成を示し、（Ａ）は正面図。（Ｂ）は縦断面図。
【図１０】  回転体の構成を示し、（Ａ）は正面図。（Ｂ）は縦断面図。
【符号の説明】
１    連結具
２    ケース
２ａ  上側ケース
２ｂ  下側ケース
３，３ａ    左右の連結体
５    切換調節機構
６    ストッパ
７    回転体
９，９ａ    連結部
２２    操作孔
３０    本体部
３１    取付部
３２    ガイド溝
３５    ラック歯
３６    係止部
６０    係止爪
６１    操作片
６２    ガイド片
６３    ガイド溝
６５    弾性支持部
７０    ピニオン歯
７１    噛合溝
【図１】
0004065075.tif 000002
【図２】
0004065075.tif 000003
【図３】
0004065075.tif 000004
【図４】
0004065075.tif 000005
【図５】
0004065075.tif 000006
【図６】
0004065075.tif 000007
【図７】
0004065075.tif 000008
【図８】
0004065075.tif 000009
【図９】
0004065075.tif 000010
【図１０】
0004065075.tif 000011